(57)【要約】【課題】従来の畳、及び従来の敷き込み方では、中央に座卓を置いて周囲に座る場合、座り心地の悪い縁部にだれかが座ることとなる。このようなことを防止する畳の敷き込み方法を提供する。【解決手段】正方形の部屋に畳を敷き込む方法であって、直角三角形の畳４帖でのみ敷き詰めるもの、及び正方形の部屋に畳を敷き込む方法であって、４隅に正方形の畳を敷き、残りの十字型の部分を、同じ形状の５角形の異形畳で敷き詰めるもの。【選択図】　図１
2004003198.tif 000002
【特許請求の範囲】
【請求項１】
正方形の部屋に畳を敷き込む方法であって、直角三角形の畳４帖でのみ敷き詰めることを特徴とする畳の敷き込み方法。
【請求項２】
正方形の部屋に畳を敷き込む方法であって、４隅に正方形の畳を敷き、残りの十字型の部分を、同じ形状の５角形の異形畳で敷き詰めることを特徴とする畳の敷き込み方法。
【請求項３】
該正方形の部屋は８畳間であり、該正方形の畳は半畳タイプのものである請求項１記載の畳の敷き込み方法。
【発明の詳細な説明】
【０００１】
【発明の属する技術分野】
本発明は、畳の敷き込み方法に関するものである。
【０００２】
【従来の技術】
畳は、従来からその形状は四角形であり、中でも正方形の半帖畳と、縦横の比率が１対２のものしか存在しない。勿論、厳密には畳はできた部屋に合わせて製造するため、長方形や正方形でなく、多かれ少なかれ歪んでいるものである。
しかし、大まかに言って正方形と長方形であることは間違いない。
【０００３】
この２種の形状の畳を部屋に敷き詰めるのであるが、部屋のサイズや形状は日本での通常の家屋やマンションであれば、通常は４帖半、６帖、８帖等のように畳の敷き詰め可能なサイズ、形状になっている。
ここに畳を敷き詰めるのであるが、その方法（位置）は自ずと決まってくるものである。
【０００４】
図４は、従来の８帖間の畳の敷き方である。ほとんどこの方式と言っても過言ではない。
【０００５】
【発明が解決しようとする課題】
しかしながら、このような畳、及び敷き込み方では、中央に座卓１１を置いて周囲に座る場合、座り心地の悪い縁部にだれかが座ることとなる。図５の円形部１２は人が座る位置を示している。どうしても縁の上に来るのである。
【０００６】
これを防止するため、縁なし畳にすることも考えられる。しかし、縁なし畳でも畳の端部が位置することは同じであり、縁なしは一般的ではない。
【０００７】
【課題を解決するための手段】
以上のような状況に鑑み、本発明者は鋭意研究の結果本発明畳の敷き込み方法を完成させたものであり、その特徴とするところは、正方形の部屋に畳を敷き込む方法であって、直角三角形の畳４帖でのみ敷き詰める点にあり、他の態様では、正方形の部屋に畳を敷き込む方法であって、４隅に正方形の畳を敷き、残りの十字型の部分を、同じ形状の５角形の異形畳で敷き詰める点にある。
【０００８】
本発明でいう正方形の部屋とは、４帖半、８帖等の従来の正方形タイプの部屋だけでなく、縦横が等しい（数学的な意味ではなく大よそ等しければよい）部屋であれば、従来の規格になくてもよい。なぜならば、本発明で使用する畳は規格にない（あってもよい）ものであり、それぞれに製造するためである。
勿論、規格とおりであって、畳も大量生産型にしてもよい。
【０００９】
本発明方法では、直角三角形の畳４帖でのみ敷き詰めるということは、直角三角形の斜辺が部屋の１辺の長さと等しく、部屋の中央部分で４帖の畳が合わさることとなる。当然、畳の端部（縁があれば縁の位置）は、部屋の対角線上に位置することとなる。
図５のように、この部屋に座卓をおいて同様に座ると、だれも縁の上には位置しない。これが最も大きな特徴である。
【００１０】
直角三角形の畳は、通常の畳の形状だけを三角にしたものでよい。畳表は、天然イグサでも模造イグサでもよい。模造イグサとは、原料は紙、プラスチック等であり、形状（断面）的には発泡タイプ、フィルム収束タイプ、筒状等があるがどれでもよい。
【００１１】
直角三角形の場合、イグサの長手方向を斜辺と平行にしても、どちらかの底辺に平行にしてもよい。イグサの長手方向を斜辺と平行にした場合には、縁は残りの２つの辺になる。即ち、１つの辺にイグサを平行にすると、他の２辺では縁が必要となる。勿論、縁なし畳にしてもよく、その場合には縁の位置等は無関係である。
この場合、イグサの長手方向が１ｍ以上となると、通常天然イグサではできない。しかし、両端に届かないイグサを分からないように１本に見せて織ることができるため、１辺が２ｍ近くまでは天然イグサで可能である。しかし、現実問題としては、どうしても高価になる。
【００１２】
これに比べて模造イグサの場合には、長さは制限がなく３ｍでも４ｍでも製造可能である。
【００１３】
畳床は、従来の藁性でもプラスチックや木質ボード製等なんでもよく、また厚みも自由である。
【００１４】
次に、請求項２の方法について説明する。
この方法は、前記した直角三角形方式の欠点である１辺が長く（８帖間では４ｍ近くなる）なりすぎるのを軽減した方法である。４隅に正方形の畳を敷き、残りの部分（自動的に十字型になる）を４帖の畳で敷き詰める方法である。
【００１５】
十字型を同じ形状の畳４帖で敷き詰める場合、１帖の形は五角形になる。そして、部屋の中央部分で４帖が合わさることとなる。この場合も、前記した直角三角形タイプと同様、部屋の対角線上で合う。
【００１６】
この五角形の畳も前記同様、どのような畳表、畳床を用いてもよい。これもイグサをどの辺に平行にするか、縁を付けるか否か、どのように付けるか等はすべて自由である。
【００１７】
【発明の実施の形態】
以下図面に示す実施の形態に基づいて、本発明をより詳細に説明する。
図１は、４帖半の部屋に直角三角形の畳１を４帖敷き詰めたとろこである。直角三角形の斜辺の長さは、２．７ｍで模造イグサでなければ、この長さほぼ不可能である。
ここで用いた直角三角形の畳は、イグサの目（長手方向）がすべて三角形の斜辺に平行である。よって、縁２は他の２辺に設けられている。
【００１８】
図２は、図１と同様の直角三角形タイプであるが、イグサの目が異なり、斜辺以外の１辺に平行に固着されている。よって、残りの２辺に縁が設けられている。このようにすると、縁同士が合わない。
【００１９】
図３は、五角形の畳を使用する例である。この例では、８帖の間である。ここに半帖畳３を四隅に敷き、残りに五角形畳４を４帖敷きこんでいる。よって、五角形畳の底辺の長さは、通常の畳の長辺と同様である。よって、これも模造イグサでなければ実際には難しい。この例では五角形畳も半帖畳も縁を設けないタイプである。
【００２０】
【発明の効果】
本発明畳の敷き込み方法には次のような大きな利点がある。
（１）　畳の端部（畳同士の接する部分）が、部屋の対角線上に来るため、通常の座り方では、畳の縁や端部の上に位置しない。よって、座り心地がよい。
（２）　畳の形状がユニークであるため、洋間にも適用できる。
（３）　また、模造イグサは、着色が自由であるため、天然畳以外の色にすれば、形状の特殊性と合わせて今までにない部屋ができる。
【図面の簡単な説明】
【図１】本発明敷き込み方法の１例によって敷き込んだ畳の状態の平面図である。
【図２】本発明敷き込み方法の他の例によって敷き込んだ畳の状態の平面図である。
【図３】本発明敷き込み方法の他の例によって敷き込んだ畳の状態の平面図である。
【図４】従来の敷き込み方法を示す平面図である。
【図５】従来の敷き込み方法を示す平面図である。
【符号の説明】
１　直角三角形の畳
２　縁
３　半帖畳
４　五角形畳
【図１】
2004003198.tif 000003
【図２】
2004003198.tif 000004
【図３】
2004003198.tif 000005
【図４】
2004003198.tif 000006
【図５】
2004003198.tif 000007